(57)【特許請求の範囲】
【請求項１】
オブジェクトをフィルタリングするための方法であって、
オブジェクト管理インタフェースを表示するステップであって、前記オブジェクト管理インタフェースが、少なくとも2つのタイプのオブジェクト、およびどのオブジェクトにも対応していない空白領域を含む、ステップと、
ユーザによってタッチされた、前記オブジェクト管理インタフェース上の位置、および前記タッチされた位置に加えられた圧力の値を検出するステップと、
前記圧力の値が予め設定された閾値よりも大きく、前記タッチされた位置および前記圧力の値に従ってオブジェクトのタイプが識別されることが可能である場合、前記オブジェクトのタイプを第1のタイプとして決定するステップであって、前記タッチされた位置が前記空白領域内にあり、前記第1のタイプが、前記少なくとも2つのタイプのうちの1つである、ステップと、
前記オブジェクト管理インタフェースにおけるフィルタリングを通して、前記第1のタイプのすべてのオブジェクトを取得し、提示するステップと
を含む、方法。
【請求項２】
前記オブジェクトが、ダイアログボックス内のメッセージまたはフォルダ内のファイルを含む、請求項1に記載の方法。
【請求項３】
前記第1のタイプが、画像タイプ、音声タイプ、動画タイプ、テキストメッセージタイプ、または文書タイプを含む、請求項2に記載の方法。
【請求項４】
前記第1のタイプが、ネットワークチップタイプまたは共有リンクタイプを含む、請求項2に記載の方法。
【請求項５】
前記第1のタイプが、連絡先を含み、前記第1のタイプのすべてのオブジェクトがすべて、前記連絡先によって公開されたオブジェクトである、請求項2に記載の方法。
【請求項６】
前記オブジェクト管理インタフェースにおけるフィルタリングを通して、前記第1のタイプのすべてのオブジェクトを取得し、提示する前記ステップが、具体的には、
フィルタリングを通して、前記オブジェクト管理インタフェースに含まれるすべてのオブジェクトの中から前記第1のタイプのすべてのオブジェクトを取得し、前記第1のタイプのすべてのオブジェクトを時系列の順に配置して提示するステップ
である、請求項1から5のいずれか一項に記載の方法。
【請求項７】
前記オブジェクト管理インタフェースにおけるフィルタリングを通して、前記第1のタイプのすべてのオブジェクトを取得し、提示する前記ステップが、具体的には、
フィルタリングを通して、前記オブジェクト管理インタフェースに含まれるすべてのオブジェクトの中から前記第1のタイプのすべてのオブジェクトを取得し、前記第1のタイプのすべてのオブジェクトを時系列の逆順に配置して提示するステップ
である、請求項1から5のいずれか一項に記載の方法。
【請求項８】
前記圧力の値が予め設定された閾値よりも大きく、前記タッチされた位置および前記圧力の値に従ってオブジェクトのタイプが識別されることが可能である場合、前記オブジェクトのタイプを第1のタイプとして決定する前記ステップは、
予め設定された規則に従って、前記圧力の値がある閾値区間を判定し、前記閾値区間に従って前記第1のタイプを決定するステップであって、前記予め設定された規則では、異なる閾値区間が、異なるタイプに対応する、ステップ
を含む、請求項1から7のいずれか一項に記載の方法。
【請求項９】
オブジェクトをフィルタリングするための装置であって、
オブジェクト管理インタフェースを表示するように構成された表示モジュールであって、前記オブジェクト管理インタフェースが、少なくとも2つのタイプのオブジェクト、およびどのオブジェクトにも対応していない空白領域を含む、表示モジュールと、
前記表示モジュールによって表示されたオブジェクト管理インタフェース上の、ユーザによってタッチされた位置、および前記タッチされた位置に加えられた圧力の値を検出するように構成された検出モジュールと、
前記検出モジュールが、前記圧力の値が予め設定された閾値よりも大きいことを検出し、前記タッチされた位置および前記圧力の値に従ってオブジェクトのタイプが識別されることが可能である場合に、前記オブジェクトのタイプを第1のタイプとして決定するように構成された決定モジュールであって、前記タッチされた位置が前記空白領域内にあり、前記第1のタイプが、前記少なくとも2つのタイプのうちの1つである、決定モジュールと、
前記オブジェクト管理インタフェースにおけるフィルタリングを通して、前記第1のタイプのすべてのオブジェクトを取得するように構成されたフィルタリングモジュールと
を備える、装置。
【請求項１０】
前記オブジェクトが、ダイアログボックス内のメッセージまたはフォルダ内のファイルを含む、請求項9に記載の装置。
【請求項１１】
前記第1のタイプが、画像タイプ、音声タイプ、動画タイプ、テキストメッセージタイプ、文書タイプ、ネットワークチップタイプ、または共有リンクタイプを含む、請求項10に記載の装置。
【請求項１２】
前記第1のタイプが、連絡先を含み、前記第1のタイプのすべてのオブジェクトがすべて、前記連絡先によって公開されたオブジェクトである、請求項10に記載の装置。
【請求項１３】
前記フィルタリングモジュールが、具体的には、フィルタリングを通して、前記オブジェクト管理インタフェースに含まれるすべてのオブジェクトの中から前記第1のタイプのすべてのオブジェクトを取得し、前記第1のタイプのすべてのオブジェクトを時系列の順または時系列の逆順に配置して提示するように構成された、請求項9から12のいずれか一項に記載の装置。
【請求項１４】
前記決定モジュールは、予め設定された規則に従って、前記圧力の値がある閾値区間を判定し、前記閾値区間に従って前記第1のタイプを決定するように構成され、前記予め設定された規則では、異なる閾値区間が、異なるタイプに対応する、請求項9から13のいずれか一項に記載の装置。
【請求項１５】
インテリジェント端末であって、前記端末が、表示画面と、プロセッサと、メモリと、バスとを少なくとも備え、前記表示画面、前記プロセッサ、および前記メモリが、前記バスを使用することによって互いに接続されて通信し、前記表示画面が、ユーザ操作を受信するように構成され、前記メモリが、プログラムおよび命令を格納し、前記プロセッサが、前記メモリ内のプログラムおよび命令を呼び出して、前記表示画面によって受信されたユーザ操作に従って、請求項1から8のいずれか一項に記載の方法を実行し実施する、インテリジェント端末。
【発明の詳細な説明】
【技術分野】
【０００１】
本発明は、端末の分野、具体的には、圧力を使用することによってオブジェクトをフィルタリングするための方法および装置に関する。
【背景技術】
【０００２】
QQ、Post ba、WeChat、Weibo、またはフォーラムのような、インテリジェント端末でユーザによって使用される情報交換アプリケーションでは、様々な画像、音声、動画、テキストメッセージ、リンク、およびネットワークチップなどが、チャットインタフェースにおいて常に混在している。活発なグループまたはコミュニティには、通常、数百ものそのようなメッセージ、何千ものメッセージさえある。
【０００３】
多すぎるメッセージがある場合、ユーザは、ユーザが関心を持つ情報を識別して選択するのに大量の時間を費やす必要がある。しかしながら、そのような情報は通常は退屈なテキストではない。ユーザは、チャットグループにおいて、どの興味深い動画が送られたか、どの面白いリンクが共有されたか、どの楽しい音楽があるか、どの美しい画像があるか、どれだけのチップがユーザによって手に入れられていないかなどに、より注意を払う。そのようなコンテンツは、積み上げられたテキストメッセージよりも魅力的である。
【０００４】
現在、ユーザは、頻繁なページの飛ばし読みによって探索を行うことによってのみこれらのメッセージを閲覧することができる。これらのメッセージの中に多過ぎる無関係なメッセージがあるならば、ユーザの操作は非常に複雑になる。これらすべてのため、ユーザは、フィルタリングを通して、ユーザが関心を持つコンテンツを効果的に取得することができず、素晴らしい体験を楽しむことができない。
【発明の概要】
【課題を解決するための手段】
【０００５】
このことを考慮して、本発明の実施形態は、オブジェクトをフィルタリングするための方法および装置を提供する。この出願書類で言及されるオブジェクトは、以下のタイプ、すなわち、画像タイプ、テキストタイプ、文書タイプ、共有リンクタイプ、ネットワークチップ（または本発明の実施形態では略してチップ）タイプ、動画タイプ、音楽タイプ、連絡先タイプ、メッセージタイプ、電子メールタイプ、アプリケーションノートタイプ、検索記録タイプ、ショッピング記録タイプ、フォーラムの投稿タイプ、または警告プロンプトタイプ、通話記録タイプなどを含むが、これらに限定されない。これらのタイプは、複数のオブジェクトによって共有され得る属性としても理解され得る。ユーザは、上記のタイプに従ってオブジェクトフィルタリングを行い得る。この方法を用いることによって、ユーザは、ユーザが閲覧しようとしている、特定のタイプのオブジェクトを、フォースタッチ（force touch）によって迅速に決定し、これにより、ユーザは、大量の複雑かつ混在した情報におけるフィルタリングをパーソナライズし、ユーザが関心を持つオブジェクトが提示される。
【０００６】
第1の態様によれば、本発明の一実施形態は、オブジェクトをフィルタリングするための方法であって、オブジェクト管理インタフェースを表示するステップであって、オブジェクト管理インタフェースが、少なくとも2つのタイプのオブジェクトを含む、ステップと、ユーザによってタッチされた、オブジェクト管理インタフェース上の位置、およびタッチされた位置に加えられた圧力の値を検出するステップと、圧力の値が予め設定された閾値よりも大きく、タッチされた位置に従ってオブジェクトが識別されることが可能である場合、オブジェクトのタイプを第1のタイプとして決定するステップであって、第1のタイプが、少なくとも2つのタイプのうちの1つである、ステップと、オブジェクト管理インタフェースにおけるフィルタリングを通して、第1のタイプのすべてのオブジェクトを取得し、提示するステップとを含む、方法を提供する。
【０００７】
第2の態様によれば、本発明の一実施形態は、オブジェクトをフィルタリングするための方法であって、オブジェクト管理インタフェースを表示するステップであって、オブジェクト管理インタフェースが、少なくとも2つのタイプのオブジェクトを含む、ステップと、ユーザによってタッチされた、オブジェクト管理インタフェース上の位置、およびタッチされた位置に加えられた圧力の値を検出するステップと、圧力の値が予め設定された閾値よりも大きいことが検出され、タッチされた位置が、空白領域に対応する場合、予め設定された規則に従って、圧力の値がある閾値区間を判定し、該閾値区間に従って第1のタイプを決定するステップであって、予め設定された規則では、異なる閾値区間が、異なるタイプに対応し、第1のタイプが、少なくとも2つのタイプのうちの1つであり、空白領域が、いずれのオブジェクトも含まない、ステップと、オブジェクト管理インタフェースにおけるフィルタリングを通して、第1のタイプのすべてのオブジェクトを取得し、提示するステップとを含む、方法を提供する。
【０００８】
第1の態様または第2の態様によれば、可能な設計において、オブジェクトは、ダイアログボックス内のメッセージまたはフォルダ内のファイルである。
【０００９】
第1の態様または第2の態様によれば、可能な設計において、第1のタイプは、画像タイプ、音声タイプ、動画タイプ、または文書タイプであり、これに対応して、第1のタイプのオブジェクトは、画像、音声、動画、または文書である。
【００１０】
第1の態様または第2の態様によれば、可能な設計において、第1のタイプは、ネットワークチップタイプまたは共有リンクタイプであり、第1タイプのオブジェクトは、ネットワークチップメッセージまたは共有リンクメッセージである。
【００１１】
第1の態様または第2の態様によれば、可能な設計において、第1のタイプは、連絡先であり、第1のタイプのオブジェクトは、連絡先によって公開されたメッセージである。
【００１２】
第1の態様または第2の態様によれば、可能な設計において、オブジェクト管理インタフェースにおけるフィルタリングを通して、第1のタイプのすべてのオブジェクトを取得し、提示するステップは、具体的には、フィルタリングを通して、オブジェクト管理インタフェースに含まれるすべてのオブジェクトの中から第1のタイプのすべてのオブジェクトを取得し、第1のタイプのすべてのオブジェクトを時系列の順に配置して提示するステップである。
【００１３】
第1の態様または第2の態様によれば、可能な設計において、オブジェクト管理インタフェースにおけるフィルタリングを通して、第1のタイプのすべてのオブジェクトを取得し、提示するステップは、具体的には、フィルタリングを通して、オブジェクト管理インタフェースに含まれるすべてのオブジェクトの中から第1のタイプのすべてのオブジェクトを取得し、第1のタイプのすべてのオブジェクトを時系列の逆順に配置して提示するステップである。
【００１４】
第1の態様または第2の態様によれば、可能な設計において、mp3、mp4、wmv、doc、pdf、flv、rm、jpg、またはpngのような特定のフォーマットのファイルが、ファイルの特定のファイルフォーマットに従ってフィルタリングを通して取得され得る。
【００１５】
第3の態様によれば、本発明の一実施形態は、オブジェクトをフィルタリングするための装置であって、オブジェクト管理インタフェースを表示するように構成された表示モジュールであって、オブジェクト管理インタフェースが、少なくとも2つのタイプのオブジェクトを含む、表示モジュールと、表示モジュールによって表示されたオブジェクト管理インタフェース上の、ユーザによってタッチされた位置、およびタッチされた位置に加えられた圧力の値を検出するように構成された検出モジュールと、検出モジュールが、圧力の値が予め設定された閾値よりも大きいことを検出し、タッチされた位置に従ってオブジェクトが識別されることが可能である場合に、オブジェクトのタイプを第1のタイプとして取得するように構成された決定モジュールであって、第1のタイプが、少なくとも2つのタイプのうちの1つである、決定モジュールと、オブジェクト管理インタフェースにおけるフィルタリングを通して、第1のタイプのすべてのオブジェクトを取得し、表示モジュールにおいて提示するように構成されたフィルタリングモジュールとを含む、装置を提供する。
【００１６】
第4の態様によれば、本発明の一実施形態は、オブジェクトをフィルタリングするための装置であって、オブジェクト管理インタフェースを表示するように構成された表示モジュールであって、オブジェクト管理インタフェースが、少なくとも2つのタイプのオブジェクトを含む、表示モジュールと、表示モジュールによって表示されたオブジェクト管理インタフェース上の、ユーザによってタッチされた位置、およびタッチされた位置に加えられた圧力の値を検出するように構成された検出モジュールと、検出モジュールが、圧力の値が予め設定された閾値よりも大きいことを検出し、タッチされた位置が、空白領域に対応する場合に、予め設定された規則に従って、圧力の値がある閾値区間を判定し、該閾値区間に従って第1のタイプを決定するように構成された決定モジュールであって、予め設定された規則では、異なる閾値区間が、異なるタイプに対応し、第1のタイプが、少なくとも2つのタイプのうちの1つであり、空白領域が、いずれのオブジェクトも含まない、決定モジュールと、オブジェクト管理インタフェースにおけるフィルタリングを通して、第1のタイプのすべてのオブジェクトを取得し、表示モジュールにおいて提示するように構成されたフィルタリングモジュールとを含む、装置を提供する。
【００１７】
第3の態様または第4の態様によれば、可能な設計において、オブジェクトは、ダイアログボックス内のメッセージまたはフォルダ内のファイルである。
【００１８】
第3の態様または第4の態様によれば、可能な設計において、第1のタイプは、画像タイプ、音声タイプ、動画タイプ、または文書タイプであり、これに対応して、第1のタイプのオブジェクトは、画像、音声、動画、または文書である。
【００１９】
第3の態様または第4の態様によれば、可能な設計において、フィルタリングモジュールは、具体的には、フィルタリングを通して、オブジェクト管理インタフェースに含まれるすべてのオブジェクトの中から第1のタイプのすべてのオブジェクトを取得し、表示モジュールにおいて第1のタイプのすべてのオブジェクトを時系列の順に配置して提示するように構成される。
【００２０】
第3の態様または第4の態様によれば、可能な設計において、フィルタリングモジュールは、具体的には、フィルタリングを通して、オブジェクト管理インタフェースに含まれるすべてのオブジェクトの中から第1のタイプのすべてのオブジェクトを取得し、表示モジュールにおいて第1のタイプのすべてのオブジェクトを時系列の逆順に配置して提示するように構成される。
【００２１】
第3の態様または第4の態様によれば、可能な設計において、フィルタリングモジュールは、具体的には、フィルタリングを通して、オブジェクト管理インタフェースに含まれるすべてのオブジェクトの中から第1のタイプのすべてのオブジェクトを取得し、表示モジュールにおいて第1のタイプのすべてのオブジェクトを時系列の順に配置して提示するように構成される。
【００２２】
第3の態様または第4の態様によれば、可能な設計において、mp3、mp4、wmv、doc、pdf、flv、rm、jpg、またはpngのような特定のフォーマットのファイルが、ファイルの特定のファイルフォーマットに従ってフィルタリングを通して取得され得る。
【００２３】
第5の態様によれば、本発明の一実施形態は、インテリジェント端末であって、該端末が、表示画面と、プロセッサと、メモリと、バスとを少なくとも含み、表示画面、プロセッサ、およびメモリが、バスを使用することによって互いに接続されて通信し、表示画面が、ユーザ操作を受信するように構成され、メモリが、プログラムおよび命令を格納し、プロセッサが、メモリ内のプログラムおよび命令を呼び出して、表示画面によって受信されたユーザ操作に従って、オブジェクトをフィルタリングするための上記の方法のいずれか1つを実行し実施する、インテリジェント端末を提供する。
【００２４】
本発明の実施形態で提供される技術的解決策によれば、オブジェクト管理インタフェースが表示され、ユーザによってタッチされた、オブジェクト管理インタフェース上の位置が検出され、圧力の値が予め設定された閾値よりも大きい場合、タッチされた位置、およびタッチされた位置に加えられた圧力の値に従って、ユーザによって要求される第1の属性が決定され、第1の属性のすべてのオブジェクトが、オブジェクト管理インタフェースにおいてフィルタリングによって取得され、提示される。この方法を使用することによって、ユーザは、オブジェクト管理インタフェースにおけるフィルタリングを通して、特定のタイプの提示されるオブジェクトを効果的に取得し、不規則なメッセージまたはファイルの中から、ユーザが関心を持つタイプを意図的に見つけ、他のタイプの情報を除去することができる。例えば、WeChatにおいて、ネットワークチップのみが、フィルタリングを通して取得され、ネットワークチップ以外のすべての情報が除外される。別の例では、グループチャットにおいて、ユーザは、フィルタリングを通して、ユーザが関心を持つ人のみによって公開されたメッセージを取得する。これらすべては、メッセージまたはファイルに対するユーザの知覚をより直感的でよりパーソナライズされたものにする。加えて、これは、簡単なフォースタッチだけで実施されることが可能であり、これにより、ユーザ体験を改善し、ユーザを爽快な気分にする。
【００２５】
本発明の実施形態における技術的解決策をより明確に説明するために、以下は、実施形態を説明するために要求される添付図面を簡単に説明する。明らかに、以下の説明における添付図面は、本発明のほんのいくつかの実施形態を示し、この技術分野の当業者は、創造的な努力なしでこれらの添付図面から他の図面を依然として導き出し得る。
【図面の簡単な説明】
【００２６】
【図１−ａ】アプリケーション対話型インタフェースを示す。
【図１−ｂ】ファイルリストインタフェースを示す。
【図２】本発明の一実施形態による、オブジェクトをフィルタリングするための方法である。
【図３】本発明の一実施形態による、オブジェクトをフィルタリングするための方法の例1である。
【図４】本発明の一実施形態による、オブジェクトをフィルタリングするための方法の例2である。
【図５】本発明の一実施形態による、オブジェクトをフィルタリングするための方法の例3である。
【図６】本発明の一実施形態による、オブジェクトをフィルタリングするための別の方法である。
【図７】本発明の一実施形態による、オブジェクトを選択するための方法の例4である。
【図８】本発明の一実施形態による、オブジェクトを選択するための方法の例5である。
【図９】本発明の一実施形態による、インテリジェント端末の機能モジュールの構成図である。
【図１０】本発明の一実施形態による、インテリジェント端末のハードウェアの構成図である。
【発明を実施するための形態】
【００２７】
以下は、本発明の実施形態における添付図面を参照して、本発明の実施形態における技術的解決策を明確かつ十分に説明する。明らかに、説明されている実施形態は、本発明の実施形態のほんのいくつかであり、全部ではない。創造的な努力なしで本発明の実施形態に基づいてこの技術分野の当業者によって得られる他のすべての実施形態は、本発明の保護範囲内にあるものである。さらに、以下の実施形態において、多くの特徴の詳細および説明がある。過度の冗長性を避けるために、これらの詳細および説明は、同じ原理の下で同じ特徴に適用可能である。
【００２８】
図1−aおよび図1−bを参照すると、図1−aおよび図1−bはそれぞれ、一般的なオブジェクト管理アプリケーションのシナリオの図である。例えば、図1−aは、特に、複数のユーザによって公開された、ネットワークチップ、画像（エモーティコンを含む）、動画、文書、テキスト情報、および共有リンクのような様々なタイプのオブジェクトがグループチャット中に頻繁に現れる、一般的なアプリケーション対話型インタフェースである。図1−bは、一般的なファイルリストインタフェースである。フォルダ内のファイルはまた、通常、音楽／音声、動画／ショート動画、画像、および文書のような、様々なタイプを含む。これらのオブジェクトは、通常、順序なしに分散しており、ユーザにとって、ユーザが求めるオブジェクトをオブジェクトの中から迅速に見つけることは困難である。本発明は、フォースタッチによって画面をタッチする操作と組み合わされ、そして、ユーザがフィルタリングを通して取得しようとするオブジェクトのオブジェクトタイプが識別され、これにより、ユーザ端末は、フィルタリングを通して、識別されたタイプに従ってオブジェクトタイプのオブジェクトを取得し、提示することができる。
【００２９】
図2を参照すると、図2は、本発明の一実施形態による、オブジェクトをフィルタリングするための方法である。この方法は、ユーザ画面情報をより柔軟にし、操作を便利にし、ユーザ体験を改善する。この方法は、具体的には、ステップ101から104を含む。
【００３０】
ステップ101：オブジェクト管理インタフェースを表示し、オブジェクト管理インタフェースが、M個のオブジェクトを含む。本発明で言及されるオブジェクトは、インテリジェント端末において操作され得るすべての操作オブジェクトを含む、一般化された概念である。例えば、操作オブジェクトは、画像、音声、動画、文書、アプリケーション内のメッセージ、フォルダ、SMSメッセージ、アイコン、通話記録、連絡先などであるが、これらのみに限定されない。Mの値は、通常、2よりも大きい。
【００３１】
本発明で言及されるオブジェクト管理インタフェースも、上記で説明された任意のタイプのオブジェクトを表示および操作し得るすべてのインタフェースを含む、一般化された概念である。例えば、インタフェースは、フォルダのファイル表示インタフェース、クライアントのチャットインタフェース、通話記録インタフェース、ショッピングカート内の商品のインタフェース、フォーラムの投稿返信対話型インタフェース、または単純なメッセージダイアログボックスである。コンピュータのレベルから見ると、オブジェクト管理インタフェースは、実際は1つのフォルダに対応する。特定の実施プロセスでは、ユーザは、従来技術におけるいくつかの操作によってオブジェクト管理インタフェースに入ることができる。インテリジェント端末の限られた画面サイズのため、オブジェクト管理インタフェースは、オブジェクト管理インタフェースのすべてのオブジェクトを画面において提示することができるとは限らない。既存のアプリケーションでは、ユーザは、ページの飛ばし読み、ドラッグ、または他の手段によって、オブジェクト管理インタフェース内の複数のオブジェクトをブラウズし得る。通常、ページの飛ばし読みおよびドラッグのプロセスでは、オブジェクト管理インタフェースの外枠は変化せず、オブジェクト管理インタフェース内のオブジェクトのみが移動する。この特許で言及されるインテリジェント端末は、スマートフォン、タブレットコンピュータ、ウェアラブルデバイス、または他の端末デバイス、特に、携帯端末デバイスを含むが、これらに限定されない。
【００３２】
ステップ102：ユーザによってタッチされた、オブジェクト管理インタフェース上の位置、およびタッチされた位置に加えられた圧力の値を検出する。
【００３３】
ユーザがオブジェクト管理インタフェースにおいて操作する場合、インテリジェント端末は、ユーザによる画面をタッチする位置を検出し、また画面をタッチする圧力の値を検出する。これらは、インテリジェント端末の画面に組み込まれた圧力センサのようなデバイスを使用することによって取得され得る。
【００３４】
ステップ103：検出された圧力の値が予め設定された閾値よりも大きく、タッチされた位置に従ってオブジェクトが識別されることが可能である場合、このオブジェクトのタイプを第1のタイプとして取得し、第1のタイプが、ステップ101で言及した少なくとも2つのタイプのうちの1つである。
【００３５】
これは、本発明の革新点の1つ、すなわち、フォースタッチによるトリガを行うことによってオブジェクトタイプを取得する機能である。従来技術では、フォースタッチは、通常のフォースタッチ操作と区別されない。本発明で言及される予め設定された閾値は、通常動作をトリガすることができる圧力検知値よりも大きい。例えば、ユーザによって加えられる圧力がF1に達した場合、ユーザは、タッチアンドホールドによる選択をトリガする操作、または短いタップによるその後の編集をトリガする操作のみを実施することが可能であり、ユーザによって加えられる圧力がF2に達した場合、インテリジェント端末は、オブジェクトのタイプを取得するようにトリガされることが可能であり、F2は、F1よりも大きく、F2は、予め設定された閾値であり、インテリジェント端末の製造業者によって出荷時に設定されてもよく、またはユーザによって決定されてもよい。
【００３６】
さらに、オブジェクトを選択すること、またはその後の動作を実行することをトリガするために、ユーザが画面にタッチすること、およびユーザによってタッチされた位置を使用することによってインテリジェント端末が操作されるべき対象のオブジェクトを識別することは、どちらもこの分野の既存の技術である。本発明において、オブジェクトにおいてタッチ操作を行うことは、オブジェクトに対応する、現在の画面内の表示位置をタッチすることを指し、オブジェクトにおける操作を識別し、編集することをトリガすることが可能であることが理解されるべきである。
【００３７】
ステップ104：オブジェクト管理インタフェースにおけるフィルタリングを通して、第1のタイプのすべてのオブジェクトを取得し、提示する。
【００３８】
さらに、ユーザがオブジェクトをフィルタリングする機能をトリガした場合、インテリジェント端末は、いくつかのプロンプト操作をさらに表示してもよい。例えば、ユーザは、フィルタリングを通してどのタイプのオブジェクトが取得されるべきかの指示を促される。
【００３９】
異なるユーザ操作のシナリオのため、上記の技術的解決策の実施は様々である。以下は、具体的な例を使用することによって上記の方法を詳細に説明するものである。同等の置換が行われ得る技術的解決策およびアプリケーションシナリオは、本発明の保護範囲内にあるべきである。
【００４０】
例1
図3を参照すると、図3は、本発明の一実施形態による、オブジェクトをフィルタリングするための方法の例1である。ユーザはチャット記録を管理しようとしており、現在の画面に表示されているチャット記録が図3の左に示されている。ユーザチャットコンテンツは、複数のタイプおよび複数のユーザのオブジェクトエントリを含み、オブジェクトは、共有の画像、リンク、動画、およびネットワークチップ（これらは、図では例として表示されており、実際のサイズではない）を含み、さらに、様々なテキスト情報と混在される。限られた画面のため、図3の左には、現在のチャット記録内のすべてのオブジェクトが示されているわけではない。説明を簡単さのため、本発明のこの実施形態のオブジェクトは、対応する番号が付されているが、これは、それがどのオブジェクトであるかを便宜的に指し示そうとしているだけであり、オブジェクトのコンテンツまたは表現形式を限定しない。
【００４１】
インテリジェント端末は、図3の左の、アプリケーション（アプリケーションのタイプまたは形式は限定されない）のオブジェクト管理インタフェースを表示する。現在のユーザ（私）は、オブジェクト管理インタフェース内のチップを開こうとしているだけであり、他のタイプのオブジェクトにはほとんど注意を払っていないと仮定して、ユーザは、任意のチップ、例えば、チップ1上の円においてフォースタッチを行うことが可能であり（具体的な位置は限定されず、チップが選択または操作され得る機能領域は同等であり得る）、これにより、インテリジェント端末は、ユーザがチップ1を操作しようとしていると判定することができる。チップ1に対応する画面上の位置にユーザによって加えられた圧力が予め設定された閾値よりも大きいことをインテリジェント端末が検出した場合、例えば、予め設定された閾値が1.5Nであり、検出された圧力が2Nである場合、インテリジェント端末は、チップ1へのタッチに従ってチップタイプを取得し、フィルタリングを通して、オブジェクト管理インタフェース内のすべてのオブジェクトの中からすべてのネットワークチップを取得し、これらをオブジェクト管理インタフェース内に提示する。図3の右に示されているように、画面に表示されることが可能であるチップ−1、チップ−2、…、およびチップ−7は、図3の左には示されていないチップであり、画面の下部に近いチップは、より後の公開時点を有する。そして、ユーザは、各チップを1つずつタップして開いて、チップを一括して開く喜びで満たされ得る。これは、従来技術では複数回のページの飛ばし読みによってのみ不規則なメッセージの中からチップが見つけられ得るのとは異なり、ユーザに良い体験をもたらす。多すぎるチップがある場合、現在の画面は、フィルタリング後にすべてのチップを表示することはできるとは限らず、ユーザは、ページの飛ばし読みまたは他の手段によってさらなるネットワークチップを閲覧し得る。
【００４２】
本発明のこの実施形態において、各添付図面の円は、単なる表現であり、実際の操作の間にタッチされた位置またはタッチされた点のサイズを限定しないことも留意されるべきである。ユーザの使用操作が多様化しているので、本発明の操作の機能効果と同等であり得る機能の操作は、本発明の技術的解決策に入るものである。詳細は以下で再度説明されない。
【００４３】
本発明の実施形態の特定の実施プロセスでは、オブジェクト管理インタフェースによって表示されるオブジェクトは、オブジェクトのサムネイル、またはオブジェクトの完全な画像であり得る。サムネイルのサイズは、端末システムおよびアプリケーションの異なる設定のため、大きく変化する。この出願において、サムネイルは限定されない。複数のオブジェクトのサムネイルは、1つの画面にタイル表示され、配置され、表示され得る。表示方法は、図3の垂直配置と同様であってもよい、すなわち、時系列の順に配置して表示する。通常、最後に公開されたオブジェクトは、現在の画面に表示され、これらのオブジェクトは、フィルタリングを通してユーザによって取得されたのと同じタイプのオブジェクトである。任意選択的に、複数のオブジェクトは、代替的に、時系列の逆順に配置されて表示されてもよい。例えば、フィルタリングを通して取得されて配置されたオブジェクトおよび画面の上部により近いオブジェクトは、より後の公開時点を有する。順または逆順の配置は、インテリジェント端末によってデフォルトで設定され、またはユーザによって自由に設定され得る。
【００４４】
本発明のこの実施形態では、フィルタリング後に、より少ないオブジェクトがあるならば、オブジェクトはすべて現在の画面に表示され得ることが理解されるべきである。
【００４５】
特定の実施プロセスでは、方法における第1のタイプは、チップタイプのみに限定されず、画像タイプ、音声タイプ、動画タイプ、テキストメッセージタイプ、共有リンクタイプ、および文書タイプなども含む。これに対応して、オブジェクトは、チップのみに限定されず、オブジェクト管理インタフェース内の画像、音声、動画、テキストメッセージ、共有リンク、文書なども含む。
【００４６】
過去の、情報のブラウジングおよび閲覧とは異なり、ユーザが関心を持つメッセージへの簡単なフォースタッチをユーザが行うと仮定して、ユーザが関心を持つメッセージが、数百または数千のメッセージの中から集められることが可能であり、これにより、ページの飛ばし読みの量を大幅に低減し、ユーザの操作コストを効果的に低減する。加えて、ユーザは、特定のタイプのオブジェクトを選択することをパーソナライズし、ユーザが関心を持つコンテンツタイプをより意図的に閲覧およびブラウズし得る。この例の選択方法を採用することは、間違いなくユーザに大きな利便性をもたらす。
【００４７】
例2
図4を参照すると、図4は、本発明の一実施形態による、オブジェクトをフィルタリングするための方法の例2である。明確な説明の簡単さのために、ユーザはチャット記録を管理しようとし、現在のチャット記録は図4の左に示されている。ユーザチャットコンテンツは、複数のタイプおよび複数のユーザのオブジェクトを含み、オブジェクトは、共有の画像、リンク、動画、およびネットワークチップ（これらは、図では例として表示されており、実際のサイズではない）を含み、さらに、様々なテキスト情報と混在される。限られた画面のため、図4の左には、現在のチャット記録内のすべてのオブジェクトが示されているわけではない。
【００４８】
インテリジェント端末は、図4の左の、アプリケーション（アプリケーションのタイプまたは形式は限定されない）のオブジェクト管理インタフェースを表示する。現在のユーザ（私）は、オブジェクト管理インタフェースにおいて、ユーザ2によって公開されたメッセージのみに注意を払おうとしており、別のユーザによって公開されたメッセージにはほとんど注意を払わないと仮定して、ユーザは、ユーザ2に対応する任意の連絡先アイコン、例えば、図4の左に示されている円へのフォースタッチを行うことが可能であり、（具体的な位置は限定されず、ユーザ2が選択または操作され得る機能領域は同等であり得る）、これにより、インテリジェント端末は、ユーザがユーザ2を操作しようとしていると判定することができる。ユーザによってユーザ2の連絡先アイコンに加えられた圧力が予め設定された閾値よりも大きいことをインテリジェント端末が検出した場合、例えば、予め設定された閾値が2Nであり、検出された圧力が3Nであった場合、インテリジェント端末は、ユーザ2の連絡先アイコンへのタッチに従ってユーザ2の属性を取得し、フィルタリングを通して、オブジェクト管理インタフェース内のすべてのオブジェクトの中から、ユーザ2によって公開されたすべてのオブジェクトを取得し、オブジェクト管理インタフェース内に提示する。図4の右に示されているように、現在の画面に表示されている動画−1、情報−1、情報−2、リンク−1、リンク−2、チップ−4、および画像−1は、図4の左には示されていない、ユーザ2によって公開されたオブジェクトであり、画面の下部により近いオブジェクトは、より後の公開時点を有する。ユーザ2によって公開された多過ぎるメッセージがあるならば、現在の画面は、フィルタリング後にすべてのオブジェクトを表示することができるとは限らず、ユーザは、ページの飛ばし読みまたは他の手段によって、ユーザ2によって公開されたさらなるメッセージを閲覧およびブラウズし得る。そして、ユーザは、ユーザ2によって公開されたすべてのオブジェクトを一括してブラウズすることが可能であり、ユーザ2によって公開された重要なメッセージを見逃さない。これは、従来技術では複数回のページの飛ばし読みによってのみ不規則なメッセージの中から、ユーザ2によって公開されたキーメッセージが見つけられ得るのとは異なり、現在のユーザに良い体験をもたらす。
【００４９】
特定の実施プロセスでは、オブジェクト管理インタフェースによって表示されるオブジェクトは、ユーザ2によって公開されたオブジェクトのサムネイル、またはユーザ2によって公開されたオブジェクトの完全な画像であり得る。サムネイルのサイズは、端末システムおよびアプリケーションの異なる設定のため、大きく変化する。この出願において、サムネイルは限定されない。複数のオブジェクトのサムネイルは、1つの画面にタイル表示され、配置され、表示され得る。表示方法は、図4の右の垂直配置と同様であってもよく、すなわち、時系列の順に配置して表示する。通常、最後に公開されたオブジェクトは、現在の画面に表示されており、これらのオブジェクトは、フィルタリングを通して同じユーザによって取得された、同じユーザによって公開されたオブジェクトである。任意選択的に、複数のオブジェクトは、代替的に、時系列の逆順に配置されて表示されてもよい。例えば、フィルタリングを通して取得されたオブジェクトが配置され、画面の上部により近いオブジェクトは、より後の公開時点を有する。順または逆順の配置は、インテリジェント端末によってデフォルトで設定され、またはユーザによって自由に設定され得る。
【００５０】
さらに、本発明のこの実施形態では、タッチされた位置が関係する場合、タッチされた位置は、各添付図面中のマークされた位置に限定されず、同じ原理の操作に基づいて同じ機能をトリガすることができる任意の位置への同等の置換が行われ得る。
【００５１】
例3
図5を参照すると、図5は、本発明の一実施形態による、オブジェクトをフィルタリングするための方法の例3である。ユーザは、フォルダ内のファイルを管理しようとし、現在の画面に表示されているフォルダのコンテンツが図5の左に示されている。フォルダは、複数のタイプのオブジェクトを含み、オブジェクトは、画像、動画、ネットワーク、文書などを含む。限られた画面のため、フォルダ内のすべてのファイルが、図5に示されているわけではない。
【００５２】
ユーザは、フォルダ内の音楽ファイルを閲覧しようとしているのみであり、別のタイプのファイルにはほとんど注意を払っていないと仮定して、ユーザは、任意の音楽ファイル、例えば、音楽1上の円へのフォースタッチを行うことが可能であり（具体的な位置は限定されず、音楽1が選択または操作され得る機能領域は同等であり得る）、これにより、インテリジェント端末は、ユーザがファイル、すなわち音楽1を操作しようとしていると判定することができる。音楽1に対応する画面上の位置にユーザによって加えられた圧力が予め設定された閾値よりも大きいことをインテリジェント端末が検出した場合、例えば、予め設定された閾値が3Nであり、検出された圧力が4Nであった場合、インテリジェント端末は、音楽1へのタッチ操作に応じて音楽タイプを識別し、フィルタリングを通して、フォルダ内のすべてのオブジェクトの中からすべての音楽ファイルを取得し、オブジェクト管理インタフェース内に提示する。図5の右に示されているように、音楽4から音楽21は、図5の左には示されていない音楽ファイルであり、省略部分は、示されていないさらなる音楽ファイルを表現し、ユーザは、ページの飛ばし読みまたは他の手段によって、さらなる音楽ファイルを閲覧し得る。さらに、フィルタリングを通して取得された音楽ファイルは、時系列の順または時系列の逆順に配置されてもよく、代替的に、ファイル名またはファイルサイズに従って順または逆順に配置されてもよい。具体的にどの配置形態が採用されるかは、インテリジェント端末によってデフォルトで設定され、またはユーザによって自由に設定され得る。
【００５３】
そして、ユーザは、フォルダ内の音楽ファイルを集中化して閲覧することが可能であり、これは、従来技術では複数回のページの飛ばし読みによってのみ不規則なメッセージの中から、ユーザが関心を持つ音楽を見つけられ得るのとは異なり、ユーザに良い体験をもたらす。
【００５４】
特定の実施プロセスでは、オブジェクト管理インタフェースによって表示されるオブジェクトは、オブジェクトのサムネイル、またはオブジェクトの完全な画像であり得る。サムネイルのサイズは、端末システムおよびアプリケーションの異なる設定のため、大きく変化する。この出願において、サムネイルは限定されない。
【００５５】
特定の実施プロセスでは、方法における第1のタイプは、音楽タイプのみに限定されず、図に示されている画像タイプ、動画タイプ、文書タイプなども含む。これと対応して、オブジェクトは、音楽のみに限定されず、オブジェクト管理インタフェース内の画像、動画、文書なども含む。
【００５６】
過去の、ファイルのブラウジングおよび閲覧とは異なり、ユーザが関心を持つメッセージへの簡単なフォースタッチをユーザが行うと仮定して、ユーザが関心を持つファイルが、不規則なファイルの中から集められることが可能であり、これにより、ページの飛ばし読みの量を大幅に低減し、ユーザの操作コストを効果的に低減する。加えて、ユーザは、特定のタイプのファイルを選択することをパーソナライズし得る。この例の選択方法を採用することは、間違いなくユーザに大きな利便性をもたらす。
【００５７】
図6を参照すると、図6は、本発明の一実施形態による、オブジェクトをフィルタリングするための別の方法である。この方法は、ユーザ画面情報をより柔軟にし、操作を便利にし、ユーザ体験を改善する。この方法は、具体的には、ステップ201から204を含む。
【００５８】
ステップ201：オブジェクト管理インタフェースを表示し、オブジェクト管理インタフェースが、M個のオブジェクトを含む。本発明で言及されるオブジェクトは、インテリジェント端末において操作され得るすべての操作オブジェクトを含む、一般化された概念である。例えば、操作オブジェクトは、画像、音声、動画、文書、アプリケーション内のメッセージ、フォルダ、SMSメッセージ、アイコン、通話記録、連絡先などであるが、これらのみに限定されない。Mの値は、通常、2よりも大きい。
【００５９】
ステップ202：ユーザによってタッチされた、オブジェクト管理インタフェース上の位置、およびタッチされた位置に加えられた圧力の値を検出する。
【００６０】
ユーザがオブジェクト管理インタフェースにおいて操作する場合、インテリジェント端末は、ユーザによる画面をタッチする位置を検出し、また画面をタッチする圧力の値を検出する。これらは、インテリジェント端末の画面に組み込まれた圧力センサのようなデバイスを使用することによって取得され得る。
【００６１】
ステップ203：検出された圧力の値が予め設定された閾値よりも大きく、タッチされた位置が空白領域である場合、圧力の値がある閾値区間を判定し、この閾値区間に従って第1のタイプを決定し、第1のタイプが、ステップ201で言及した少なくとも2つのタイプのうちの1つである。
【００６２】
これは、本発明の革新点の1つ、すなわち、フォースタッチによりトリガを行うことによってオブジェクトタイプを取得する機能である。従来技術では、フォースタッチは、通常のフォースタッチ操作と区別されない。本発明で言及される予め設定された閾値は、通常動作をトリガすることができる圧力検知値よりも大きい。例えば、ユーザによって加えられる圧力がF1に達した場合、ユーザは、タッチアンドホールドによる選択をトリガする操作、または短いタップによるその後の編集をトリガする操作を実施するのみであることが可能であり、ユーザによって加えられる圧力がF2に達した場合、インテリジェント端末は、オブジェクトのタイプを取得するようにトリガされることが可能であり、F2は、F1よりも大きく、F2は、予め設定された閾値であり、インテリジェント端末の製造業者によって出荷時に設定され、またはユーザによって決定され得る。
【００６３】
空白領域は、どのオブジェクトにも対応していない、現在の画面内の領域を指すことが理解されるべきである。ユーザによる空白領域をタップすることは、どのオブジェクトに対しても編集をトリガしない。
【００６４】
ユーザによって空白領域に加えられた圧力の値がF2よりも大きい場合、圧力の値に対応する閾値区間が判定される。閾値区間とオブジェクトタイプとの対応関係は、インテリジェント端末に予め格納され、この対応関係は、インテリジェント端末によって予め格納され、またはユーザによって予め設定され得る。例えば、（F2、F3］に対応するオブジェクトタイプは画像であり、（F3、F4］に対応するオブジェクトタイプは動画であり、F4はF3よりも大きく、F3はF2よりも大きい。異なる閾値区間は、異なるオブジェクトタイプに対応する。
【００６５】
ステップ204：オブジェクト管理インタフェースにおけるフィルタリングを通して、第1のタイプのすべてのオブジェクトを取得し、提示する。
【００６６】
さらに、ユーザがオブジェクトをフィルタリングする機能をトリガした場合、インテリジェント端末は、いくつかのプロンプト操作をさらに表示し得る。例えば、ユーザは、フィルタリングを通してどのタイプのオブジェクトが取得されるべきかの指示を促される。
【００６７】
異なるユーザ操作のシナリオのため、上記の技術的解決策の実施は様々である。以下は、具体的な例を使用することによって上記の方法を詳細に説明するものである。同等の置換が行われ得る技術的解決策およびアプリケーションシナリオは、本発明の保護範囲内にあるべきである。
【００６８】
例4
図7を参照すると、図7は、本発明の一実施形態による、オブジェクトを選択するための方法の例4である。ユーザはチャット記録を管理しようとし、現在の画面に表示されているチャット記録が図7の左に示されている。ユーザチャットコンテンツは、複数のタイプおよび複数のユーザのオブジェクトエントリを含み、オブジェクトは、共有の画像、リンク、動画、およびネットワークチップ（これらは、図では例として表示され、実際のサイズではない）を含み、さらに、様々なテキスト情報と混在される。限られた画面のため、すべてのオブジェクトが、図7の左に示されているわけではない。
【００６９】
チャットに参加しているユーザ（例えば、私）が、何か重要なコンテンツがあるかどうかを探すために、オブジェクト管理インタフェース内の共有リンクのみを閲覧しようとし、別のタイプのオブジェクトにはほとんど注意を払っていないと仮定して、ユーザは、任意の空白領域、例えば、図7の左の円へのフォースタッチを行い得る（具体的な位置は、空白領域である限り限定されない）。ユーザによって空白領域に加えられた圧力が予め設定された閾値よりも大きいことをインテリジェント端末が検出した場合、例えば、予め設定された閾値が2Nであり、検出された圧力が2.8Nであった場合、インテリジェント端末は、2.8Nがある閾値区間に従って、この閾値区間に対応するオブジェクトタイプを決定し、フィルタリングを通して、オブジェクト管理インタフェース内のすべてのオブジェクトの中から、このオブジェクトタイプのすべてのオブジェクトを取得し、オブジェクト管理インタフェース内に提示する。例えば、インテリジェント端末によって予め格納された対応関係は、閾値区間（2N，3N］に対応するオブジェクトタイプはネットワークリンクである、閾値区間（3N，4N］に対応するオブジェクトタイプは画像である、閾値区間（4N，5N］に対応するオブジェクトタイプは動画である、等である。本発明のこの実施形態では、予め設定される具体的な閾値の設定、閾値区間の設定、および各閾値区間がどのオブジェクトタイプに対応するかは、ユーザによって規定され、またはインテリジェント端末によって最初に設定され得る。図7の右に示されているように、リンク2からリンク11は、図7の左には示されていない共有リンクであり、ユーザは、ページの飛ばし読みによって、示されていないさらなるリンクを閲覧し得る。そして、ユーザは、リンクのコンテンツを一括して閲覧することが可能であり、これは、従来技術では複数回のページの飛ばし読みによってのみ不規則なメッセージの中から、共有リンクを見つけられ得るのとは異なり、ユーザに良い体験をもたらす。
【００７０】
本発明のこの実施形態において、各添付図面の円は、単なる表現であり、実際の操作の間のタッチされた位置またはタッチされた点のサイズを限定しないことが留意されるべきである。ユーザの使用操作が多様化しているので、本発明の操作の機能効果と同等であり得る機能の操作は、本発明の技術的解決策に入るものである。詳細は以下で再度説明されない。
【００７１】
任意選択的に、フィルタリングを通して取得されたリンクは、時系列の順または逆順に配置されて表示され得る。順または逆順の配置は、インテリジェント端末によってデフォルトで設定され、またはユーザによって自由に設定され得る。
【００７２】
特定の実施プロセスでは、方法における第1のタイプは、リンクタイプのみに限定されず、画像タイプ、音声タイプ、動画タイプ、テキストメッセージタイプ、ネットワークチップタイプ、文書タイプなども含む。これと対応して、オブジェクトは、リンクのみに限定されるものではなく、オブジェクト管理インタフェース内の画像、音声、動画、テキストメッセージ、ネットワークチップ、文書なども含む。
【００７３】
過去の、情報のブラウジングおよび閲覧とは異なり、空白領域への簡単なフォースタッチをユーザが行うと仮定して、ユーザが関心を持つオブジェクトが集められることが可能であり、これにより、ページの飛ばし読みの量を大幅に低減し、ユーザの操作コストを効果的に低減する。加えて、ユーザは、特定のタイプのオブジェクトを選択することをパーソナライズし、ユーザが関心を持つコンテンツをより意図的に閲覧およびブラウズし得る。この例の選択方法を採用することは、間違いなくユーザに大きな利便性をもたらす。
【００７４】
例5
図8を参照すると、図8は、本発明の一実施形態による、オブジェクトを選択するための方法の例5である。方法201から204は、フォルダ内のファイルの分類および閲覧にも適用可能である。特定の例5は、例4と同様であり、アプリケーションシナリオがフォルダのファイル表示インタフェースにおいてファイルを分類することである点で例4と異なっている。ファイルのタイプは、画像タイプ、音楽タイプ、動画タイプ、文書タイプなどを含む。ユーザによってタッチされた空白領域のタッチ圧力の値が予め設定された閾値よりも大きい場合、タッチ圧力の値がある閾値区間に従って、フィルタリングを通して取得されるべきオブジェクトタイプが決定される。異なる閾値区間は、異なるオブジェクトタイプに対応する。実施が同様であるので、具体的な例は再度説明されない。例5の最終結果（図8の右）は、例3の最終結果（図5の右）と同様である。
【００７５】
上記の例は、本発明の複数の実施形態のうちのほんのいくつかであることが理解されるべきである。オブジェクト表示インタフェース内のオブジェクトのフィルタリングを行うために、フォースタッチによってオブジェクトタイプが決定されることが可能であるあらゆるアプリケーションシナリオが、本発明の保護範囲内にあるものである。オブジェクトタイプは、複数のオブジェクトの共通属性として理解され得る。
【００７６】
図9を参照すると、図9は、本発明の一実施形態による、インテリジェント端末の機能モジュールの構成図である。インテリジェント端末400は、ウェアラブルデバイス、スマートフォン、タブレットコンピュータ、または他のインテリジェント端末、特に、モバイルインテリジェント端末であり得る。
【００７７】
インテリジェント端末は、表示モジュール401と、検出モジュール402と、決定モジュール403と、フィルタリングモジュール404とを含む。多くの可能な実施があるので、以下は、例を使用することによって装置を引き続き説明する。同等の置換が行われ得る技術的解決策は、本発明の保護範囲内にあるものである。
【００７８】
例6
インテリジェント端末400は、
オブジェクト管理インタフェースを表示するように構成された表示モジュール401であって、オブジェクト管理インタフェースが、少なくとも2つのタイプのオブジェクトを含み、表示モジュールが、携帯電話の表示画面を使用することによって実施され得る、表示モジュール401と、
表示モジュール401によって表示されたオブジェクト管理インタフェースへの、ユーザの入力を検出し、表示モジュールによって表示されたオブジェクト管理インタフェース上の、ユーザによってタッチされた位置、およびタッチされた位置に加えられた圧力の値を検出するように構成された検出モジュール402であって、検出モジュール402が、携帯電話の画面に組み込まれる圧力センサを使用することによって実施されることが可能であり、プロセッサが、プログラムを呼び出して特定の分析を行う、検出モジュール402と、
検出モジュール402が、圧力の値が予め設定された閾値よりも大きいことを検出し、タッチされた位置に従ってオブジェクトが識別されることが可能である場合、このオブジェクトのタイプを第1のタイプとして決定するように構成された決定モジュール403であって、第1のタイプが、少なくとも2つのタイプのうちの1つであり、決定モジュール403が、プロセッサによってプログラムを呼び出すことによって実施され得る、決定モジュール403と、
オブジェクト管理インタフェースにおけるフィルタリングを通して、第1のタイプのすべてのオブジェクトを取得し、表示モジュール401において提示するように構成されたフィルタリングモジュール404であって、フィルタリングモジュール404が、プロセッサによってプログラムを呼び出すことによって実施され得る、フィルタリングモジュール404と
を含む。
【００７９】
上記の方法の実施形態に対応する同等の概念は、ここで再度説明されない。この技術分野の当業者によって創造的な努力なしで行われる同等の置換は、本発明の保護範囲内にあるものであり、方法および装置によって区別および制限されない。
【００８０】
例えば、上記で説明された例1では、表示モジュール401は、図3の左に示したオブジェクト管理インタフェースを表示する。検出モジュール402が、ユーザによってチップ1に加えられた圧力が予め設定された閾値よりも大きいことを検出した場合、決定モジュール403は、チップタイプを取得し、フィルタリングモジュール404は、チップタイプに従ってフィルタリングを通して、オブジェクト管理インタフェース内のすべてのオブジェクトの中から、すべてのネットワークチップを取得し、表示モジュール401内に提示する。
【００８１】
例えば、上記で説明された例2では、表示モジュール401は、図4の左に示したオブジェクト管理インタフェースを表示する。検出モジュール402が、ユーザによってユーザ2の連絡先アイコンに加えられた圧力が予め設定された閾値よりも大きいことを検出した場合、決定モジュール403は、連絡先タイプはユーザ2（代替的に、ユーザ2の属性として理解され得る）であると決定し、フィルタリングモジュール404は、ユーザ2の属性に従ってフィルタリングを通して、オブジェクト管理インタフェース内のすべてのオブジェクトの中から、ユーザ2によって公開されたすべてのオブジェクトを取得し、表示モジュール401内に提示する。
【００８２】
例えば、上記で説明された例3では、表示モジュール401は、図5の左に示したオブジェクト管理インタフェースを表示する。検出モジュール402が、ユーザによって音楽1に加えられた圧力が予め設定された閾値よりも大きいことを検出した場合、決定モジュール403は、音楽タイプを決定し、これは代替的に、フィルタリングを通して取得されるべきオブジェクトのタイプが音楽であることとして理解されることが可能であり、フィルタリングモジュール404は、音楽タイプに従ってフィルタリングを通して、オブジェクト管理インタフェース内のすべてのオブジェクトの中から、すべての音楽ファイルを取得し、表示モジュール401内に提示する。
【００８３】
上記の方法101から104に含まれることが可能であるすべての技術的解決策は、これと対応して端末400を使用することによって実施することができる。
【００８４】
本発明で提供されるインテリジェント端末によれば、過去の、ファイルのブラウジングおよび閲覧とは異なり、インテリジェント端末400が、ユーザによって行われた、オブジェクトへのフォースタッチを識別すると仮定して、ユーザが関心を持つタイプのオブジェクトが、様々なタイプの不規則なオブジェクトの中から集められることが可能であり、これにより、ページの飛ばし読みの量を大幅に低減し、ユーザの操作コストを効果的に低減する。加えて、ユーザは、特定のタイプのオブジェクトを選択することをパーソナライズし得る。この例の選択方法を採用することは、間違いなくユーザに大きな利便性をもたらす。
【００８５】
例7
インテリジェント端末400は、
オブジェクト管理インタフェースを表示するように構成された表示モジュール401であって、オブジェクト管理インタフェースが、少なくとも2つのタイプのオブジェクトを含み、表示モジュールが、携帯電話の表示画面を使用することによって実施され得る、表示モジュール401と、
表示モジュール401によって表示されたオブジェクト管理インタフェース上の、ユーザによってタッチされた位置、およびタッチされた位置に加えられた圧力の値を検出するように構成された検出モジュール402であって、検出モジュール402が、携帯電話の画面に組み込まれる圧力センサを使用することによって実施されることが可能であり、プロセッサが、プログラムを呼び出して特定の分析を行う、検出モジュール402と、
検出モジュール402が、圧力の値が予め設定された閾値よりも大きいことを検出し、タッチされた位置が、空白領域に対応する場合、予め設定された規則に従って、圧力の値がある閾値区間を判定し、この閾値区間に従って第1のタイプを決定するように構成された決定モジュール403であって、予め設定された規則では、異なる閾値区間が、異なるタイプに対応し、第1のタイプが、少なくとも2つのタイプのうちの1つであり、空白領域が、いずれのオブジェクトも含まず、決定モジュール403が、プロセッサによってプログラムを呼び出すことによって実施されることが可能であり、予め設定された規則が、メモリに格納され得る、決定モジュール403と、
オブジェクト管理インタフェースによるフィルタリングを通して、第1のタイプのすべてのオブジェクトを取得し、表示モジュール401において提示するように構成されたフィルタリングモジュール404であって、フィルタリングモジュール404が、プロセッサによってプログラムを呼び出すことによって実施され得る、フィルタリングモジュール404と
を含む。
【００８６】
上記の方法の実施形態に対応する同等の概念は、ここで再度説明されない。この技術分野の当業者によって創造的な努力なしで行われる同等の置換は、本発明の保護範囲内にあるものであり、方法および装置によって区別および制限されない。
【００８７】
例えば、上記で説明された例4では、表示モジュール401は、図7の左に示したオブジェクト管理インタフェースを表示する。検出モジュール402が、ユーザによって空白領域に加えられた圧力が予め設定された閾値よりも大きいことを検出した場合、決定モジュール403は、圧力の値に対応する閾値区間を判定し、閾値区間とオブジェクトタイプとの予め格納された対応関係に従って、フィルタリングを通して取得される必要があるオブジェクトのタイプは共有リンクであると決定し、フィルタリングモジュール404は、共有リンクタイプに従ってフィルタリングを通して、オブジェクト管理インタフェース内のすべてのオブジェクトの中から、すべての共有リンクを取得し、表示モジュール401内に提示する。
【００８８】
本発明で提供されるインテリジェント端末によれば、過去の、ファイルのブラウジングおよび閲覧とは異なり、インテリジェント端末400が、ユーザによって行われた、オブジェクトへのフォースタッチを識別すると仮定して、ユーザが関心を持つタイプのオブジェクトが、フォースタッチの力を識別することによって、様々なタイプの不規則なオブジェクトの中から集められることが可能であり、これにより、ページの飛ばし読みの量を大幅に低減し、ユーザの操作コストを効果的に低減する。加えて、ユーザは、特定のタイプのオブジェクトを選択することをパーソナライズし得る。この例の選択方法を採用することは、間違いなくユーザに大きな利便性をもたらす。
【００８９】
図10を参照すると、図10は、本発明の一実施形態による、インテリジェント端末のハードウェアの構成図である。インテリジェント端末500は、少なくとも1つのプロセッサ501（例えば、CPU）と、メモリ502と、少なくとも1つのネットワークインタフェース503と、少なくとも1つの通信バス504と、ディスプレイ505と、圧力センサ506とを含み、プロセッサ501、メモリ502、ネットワークインタフェース503、ディスプレイ505、および圧力センサ506は、通信バス504を使用することによって互いに接続されて通信し、これにより、インテリジェント端末の各機能を連携して達成する。
【００９０】
プロセッサ501は、メモリ502に格納された、コンピュータプログラム、命令、または他のデータのような実行可能命令モジュール5021を実行するように構成される。圧力センサ506は、圧力を検知するように構成され、圧力の値を取得し得る。通常、圧力センサ506は、ディスプレイ505に組み込まれる。メモリ502は、高速ランダム・アクセス・メモリ（RAM：Random Access Memory）を含んでもよく、さらに、少なくともeMMC（Embedded Multi Media Card、組み込みマルチメディアカード）メモリのような不揮発性メモリ（non-volatile memory）を含んでもよい。ネットワークデバイスと少なくとも別のネットワーク要素との間の通信および接続は、少なくとも1つのネットワークインタフェース503（有線または無線であり得る）によって実施され、インターネット、広域ネットワーク、ローカル・エリア・ネットワーク、メトロポリタン・エリア・ネットワークなどが使用され得る。
【００９１】
実行可能命令モジュール5021は、上記のステップ101から104および201から204に対応する方法および同等に置換され得る方法を含むが、これらに限定されない、本発明の上記の実施形態の機能プログラムを格納する。このように、プロセッサ501は、機能プログラムを呼び出すことによって、ディスプレイ505および圧力センサ506と組み合わせて、上記の実施形態における任意の方法および同等の方法を実行する。
【００９２】
説明を簡単にするために、前述の方法の実施形態は、一連の動作として表現されていることが留意されるべきである。しかし、この技術分野の当業者は、本発明が、記載された動作の順番に限定されないことを理解すべきである。なぜなら、本発明によれば、いくつかのステップは、他の順番で行われ、または同時に行われ得るからである。加えて、この技術分野の当業者は、明細書に記載されたすべての実施形態が例示的な実施形態であり、関連する動作およびモジュールは必ずしも本発明に限定されないことも理解すべきである。
【００９３】
本発明の明細書、特許請求の範囲、および添付図面において、用語「第1」、「第2」、「第3」、「第4」など（もしあれば）は、同様の対象の間で区別するために意図され、必ずしも特定の順序または順番を示すものではない。このように呼ばれるもの（data）は、適切な状況では交換可能であり、これにより、ここで説明された本発明の実施形態は、図示の、またはここで説明された順序以外の順序で実施され得ることが理解されるべきである。さらに、用語「含む（include）」、「含む（contain）」、および任意の他の異形は、排他的でない包含をカバーすることを意味し、例えば、ステップまたはユニットのリストを含むプロセス、方法、システム、製品、またはデバイスは、必ずしもこれらのステップまたはユニットに限定されず、明示的に列挙されていないまたはそのようなプロセス、方法、システム、製品、もしくはデバイスに特有でない他のステップまたはユニットを含んでもよい。
【００９４】
装置およびシステム内のモジュール間の情報交換および実行プロセスのような内容は、本発明の方法の実施形態と同じ思想に基づく。したがって、詳細な内容については、本発明の方法の実施形態の説明を参照されたく、詳細はここで再度説明されない。
【００９５】
この技術分野の当業者は、実施形態の方法のプロセスの全部またはいくつかが、関連するハードウェアに命令するコンピュータプログラムによって実施され得ることを理解し得る。プログラムは、コンピュータ可読記憶媒体に格納されてもよい。プログラムが実行される場合、実施形態の方法のプロセスが行われる。前述の記憶媒体は、磁気ディスク、光ディスク、リード・オンリ・メモリ（ROM：Read-Only Memory）、またはランダム・アクセス・メモリ（RAM：Random Access Memory）を含んでもよい。
【００９６】
この明細書では、本発明の原理および実施態様を説明するために、特定の例が使用されている。前述の実施形態の説明は、本発明の方法および思想を理解することを助けるためにのみ意図される。加えて、実施態様およびアプリケーションシナリオに関して、本発明の思想に従ってこの技術分野の当業者により修正がなされ得る。したがって、この明細書は、本発明の限定として解釈されてはならない。
【符号の説明】
【００９７】
400  インテリジェント端末
401  表示モジュール
402  検出モジュール
403  決定モジュール
404  フィルタリングモジュール
500  インテリジェント端末
501  プロセッサ
502  メモリ
503  ネットワークインタフェース
504  通信バス
505  ディスプレイ
506  圧力センサ
5021  実行可能命令モジュール
【図１−ａ】
0006656364.tif 000002
【図１−ｂ】
0006656364.tif 000003
【図２】
0006656364.tif 000004
【図３】
0006656364.tif 000005
【図４】
0006656364.tif 000006
【図５】
0006656364.tif 000007
【図６】
0006656364.tif 000008
【図７】
0006656364.tif 000009
【図８】
0006656364.tif 000010
【図９】
0006656364.tif 000011
【図１０】
0006656364.tif 000012